(57)【特許請求の範囲】
【請求項１】
導電線（４２）が絶縁部材（３）で被覆されると共に、前記導電線（４２）が導電体（４）によって前記絶縁部材（３）の外表面の一部に長手方向に連続させて露出する導電ケーブル（４１）と、
絶縁部材（３）が底面、上面及び２つの側面を有するフラット形状に形成されて延伸され、前記上面には前記導電ケーブル（４１）を受け入れ可能な少なくとも２条の溝（３１）が近接した状態で長手方向に形成されたフラットケーブル（２７）とを備え、
前記導電ケーブル（４１）が、前記導電体（４）の露出部が前記溝（３１）から露出するように前記少なくとも２条の溝（３１）にそれぞれ挿入されて形成されることを特徴とするケーブル。
【請求項２】
請求項１に記載のケーブル（４０）であって、
前記フラットケーブル（２７）の底面が平坦面に形成され、前記側面の一方には連結突起（４３）、他方には前記連結突起（４３）に対向する位置に連結溝が設けられ、
複数個の前記フラットケーブル（２７）が平面上に載置された時に、隣接する前記フラットケーブル（２７）の側面同士が、前記連結突起（４３）と前記連結溝により連結可能であることを特徴とするケーブル。
【請求項３】
導電線（４２）が絶縁部材（３）で被覆されると共に、前記導電線（４２）が導電体（４）によって前記絶縁部材（３）の外表面の一部に長手方向に連続させて露出する導電ケーブル（４１）と、
絶縁部材（３）が底面、上面及び２つの側面を有する形状に形成されて延伸され、前記上面には前記導電ケーブル（４１）を受け入れ可能な１条の溝（３１）が長手方向に形成され、前記底面が平坦面に形成され、前記側面の一方には連結突起（３２）、他方には前記連結突起（３２）に対向する位置に連結溝（３３）が設けられたソケットケーブル（２８）とを備え、
前記導電ケーブル（４１）が、前記導電体（４）の一部が前記溝（３１）から露出するように前記導電体（４）の露出部が前記溝（３１）から露出するように前記溝（３１）に挿入され、複数個の前記ソケットケーブル（２８）が平面上に載置された時に、隣接する前記ソケットケーブル（２８）の側面同士が、前記連結突起（３２）と前記連結溝（３３）により連結可能であることを特徴とするケーブル。
【請求項４】
導電線（４２）が導電体（４）によって被覆された導電ケーブル（４１）と、
絶縁部材（３）が底面、上面及び２つの側面を有する形状に形成されて延伸され、前記上面には前記導電ケーブル（４１）を受け入れ可能な１条の溝（３１）が長手方向に形成され、前記底面が平坦面に形成され、前記側面の一方には連結突起（３２）、他方には前記連結突起（３２）に対向する位置に連結溝（３３）が設けられたソケットケーブル（２８）とを備え、
前記導電ケーブル（４１）が、前記導電体（４）の一部が前記溝（３１）から露出するように前記溝（３１）に挿入され、複数個の前記ソケットケーブル（２８）が平面上に載置された時に、隣接する前記ソケットケーブル（２８）の側面同士が、前記連結突起（３２）と前記連結溝（３３）により連結可能であることを特徴とするケーブル。
【請求項５】
請求項１又は２に記載のケーブルを使用した電撃装置であって、
少なくとも１つの前記フラットケーブル（２７）が平面に載置され、前記導電線（４２）の少なくとも１本が高圧電源に接続されていることを特徴とする電撃装置。
【請求項６】
請求項３又は４に記載のケーブルを使用した電撃装置であって、
少なくとも２つの前記ソケットケーブル（２８）が連結された状態で平面に載置され、前記導電線（４２）の少なくとも１本が高圧電源に接続されていることを特徴とする電撃装置。
【発明の詳細な説明】
【技術分野】
【０００１】
本発明は、ケーブルおよび該ケーブルを使用した電撃装置に関し、特に、地上に張設されたワイヤに通電してなる電気柵に対して併用、或いは単独で使用することにより、電気柵の上方を越えたり、電気柵の間をすり抜けたりすることができる猿、鳥類やねずみ等の、電気柵の効力が及ばない小動物に対して使用することができるケーブルおよび該ケーブルを使用した電撃装置に関する。
【背景技術】
【０００２】
従来、電気柵は、牧場などで牛や馬等の牧畜用の動物を放牧する場所の境界に設けられており、動物が放牧地から逃げないように囲い込む用途で設置されるものである。電気柵は、所定の距離を隔てて地面に埋め込まれた絶縁部材で作られた支柱(ポスト)に、地上から所定の間隔で複数本の導電線（ワイヤ）が掛け渡されて構成されており、この導電線に高電圧(数千ボルト）が印加されるようになっている（特許文献１参照）。電気柵は、牛や馬等の動物がこの電気柵に触れると電気柵用電源装置（パワーユニット）から出力された高電圧による電気ショックを受けるので、以後電気柵に近づかなくなることで、動物の逃走を防止している（パワーユニットから出力された高電圧の電気は、動物の体を抜け、地中を通ってパワーユニットのアースに戻る）。
【０００３】
一方、電気柵は、前述のように動物を逃がさないようにする用途に使用される他、動物を近づけないようにする用途にも使用される。例えば、農家の畑で栽培する作物が猿や猪などの動物によって荒らされないようにするために、畑の周囲を電気柵で囲ったりすることが行われている。また近年、果樹園等の農家において、野鳥によって果樹が食い荒らされる被害が報告されており、このような果樹園農家においては、果樹園の木の上方に電気柵を網状して張り巡らすことも行われている。
【０００４】
例えば、猿対策用電気柵の場合は、プラスのワイヤ(裸線）とマイナスのワイヤを所定の間隔でポスト間に張設して架線することが行われていた。この理由は、猿がワイヤの両極を握らないと感電しないためである。更に、農家の畑を荒らすネズミ等の小型の動物に対しては、支柱に掛け渡すワイヤの間隔を狭くした電気柵や、交差させて網状にしたワイヤを使用した電気柵等も実用化されている。
【先行技術文献】
【特許文献】
【０００５】
【特許文献１】特開２００４−２８３０１２号公報
【発明の概要】
【発明が解決しようとする課題】
【０００６】
ところで、電気柵は、パワーユニットで発生されるプラスとマイナスの間の高電圧（ショック電気）に触れることによって動物にショックを与えるものであり、通常は地面がマイナス極になっている。ところが、鳥は空中を飛んでいるために、鳥が飛来して１本の電気柵のワイヤの上に止まっても、鳥は片方の極にしか触れないので、鳥に電気は流れず電気ショックを与える事はできない。また、猿のように、電気柵に飛びつくことができる動物も同様であり、地上に触れることなく電気柵の１本のワイヤの上に乗っただけでは、猿は片方の極にしか触れないので、猿に電気は流れず電気ショックを与える事はできない。このため、果樹園などでは、鳥獣害が防げず大きな問題であった。
【０００７】
また、プラスのワイヤとマイナスのワイヤを所定の間隔でポスト間に張設して架線した猿対策用電気柵では、プラスのワイヤとマイナスのワイヤが接触すると漏電してしまう。更に、ネズミなどの小型の動物に対しても電気柵が効果的に動作するように、プラスとマイナスのワイヤの線間を細かくすると、ワイヤは裸線であるので、ワイヤの線間の管理が難しく、スパークをおこしたり、それを防止しようとするため電圧を下げると必要な出力が確保できない問題があった。
【０００８】
例えば、支柱に掛け渡すワイヤの間隔を狭くした電気柵や、交差させて網状にしたワイヤを使用した電気柵等では、プラスとマイナスのワイヤを平行に配置させているが、ワイヤを露出させたために、印加電圧を上げるとスパークしやすいという問題があった。そして、通常は、電気柵に印加する電圧は６０００Ｖ〜１００００Ｖであるが、支柱に掛け渡すワイヤの間隔を狭くした電気柵や、交差させて網状にしたワイヤを使用した電気柵等では、平行に配置したワイヤの幅が約１センチであるので、スパークを防止するためには、印加電圧を３０００Ｖ〜４０００Ｖに落とさざるを得なかった。その上、ワイヤの周辺に草などが繁茂してくると漏電が激しくなり電気柵の電圧そのものが低下して電気柵として効果が全くなくなってしまう問題や、ワイヤが経年劣化すると導電線が飛び出し、両極が接触してしまう問題があった。更に、支柱に掛け渡すワイヤの間隔を狭くした電気柵や、交差させて網状にしたワイヤを使用した電気柵等では、導電線の一部を表面に露出させる加工が難しく、コストが高いといった問題があった。
【０００９】
そこで、本発明は、ワイヤを内蔵したケーブルのプラス側の導電線とマイナス側の導電線を絶縁材で被覆して固定することにより、スパークを防止のための保守管理が不要になるだけでなく、ワイヤに電気柵の電源装置からの全出力を供給しても、狭い間隔でもスパークが起こらず、より長距離に送電が可能となるなどの大きな利益をもたらすことが出来るケーブルおよび該ケーブルを用いた電撃装置を提供することを目的としている。
【課題を解決するための手段】
【００１０】
前記目的を達成する本発明の第１の形態のケーブルは、導電線が絶縁部材で被覆されると共に、導電線が導電体によって絶縁部材の外表面の一部に長手方向に連続させて露出する導電ケーブルと、絶縁部材が底面、上面及び２つの側面を有するフラット形状に形成されて延伸され、上面には導電ケーブルを受け入れ可能な少なくとも２条の溝が近接した状態で長手方向に形成されたフラットケーブルとを備え、導電ケーブルが、導電体の露出部が溝から露出するように少なくとも２条の溝にそれぞれ挿入されて形成されることを特徴とするケーブルである。
【００１１】
第２の形態のケーブルは、第１の形態のケーブルにおいて、フラットケーブルの底面が平坦面に形成され、側面の一方には連結突起、他方には連結突起に対向する位置に連結溝が設けられ、複数個のフラットケーブルが平面上に載置された時に、隣接するフラットケーブルの側面同士が、連結突起と連結溝により連結可能であることを特徴とするケーブルである。
【００１３】
第３の形態のケーブルは、導電線が絶縁部材で被覆されると共に、導電線が導電体によって絶縁部材の外表面の一部に長手方向に連続させて露出する導電ケーブルと、絶縁部材が底面、上面及び２つの側面を有する形状に形成されて延伸され、上面には導電ケーブルを受け入れ可能な１条の溝が長手方向に形成され、底面が平坦面に形成され、側面の一方には連結突起、他方には連結突起に対向する位置に連結溝が設けられたソケットケーブルとを備え、導電ケーブルが、導電体の一部が溝から露出するように導電体の露出部が溝から露出するように溝に挿入され、複数個のソケットケーブルが平面上に載置された時に、隣接するソケットケーブルの側面同士が、連結突起と連結溝により連結可能であることを特徴とするケーブルである。
【００１４】
第４の形態のケーブルは、導電線が導電体によって被覆された導電ケーブルと、絶縁部材が底面、上面及び２つの側面を有する形状に形成されて延伸され、上面には導電ケーブルを受け入れ可能な１条の溝が長手方向に形成され、底面が平坦面に形成され、側面の一方には連結突起、他方には連結突起に対向する位置に連結溝が設けられたソケットケーブルとを備え、導電ケーブルが、導電体の一部が溝から露出するように溝に挿入され、複数個のソケットケーブルが平面上に載置された時に、隣接するソケットケーブルの側面同士が、連結突起と連結溝により連結可能であることを特徴とするケーブルである。
【００１５】
前記目的を達成する本発明の第１の形態の電撃装置は、第１又は第２の形態のケーブルを使用した電撃装置であって、少なくとも１つのフラットケーブルが平面に載置され、導電線の少なくとも１本が高圧電源に接続されていることを特徴とする電撃装置である。
【００１６】
第２の形態の電撃装置は、第３又は第４の形態のケーブルを使用した電撃装置であって、少なくとも２つのソケットケーブルが連結された状態で平面に載置され、導電線の少なくとも１本が高圧電源に接続されていることを特徴とする電撃装置である。
【発明の効果】
【００１７】
本発明のケーブル及びこれを用いた電撃装置は、ケーブル内にある複数の導電線のうち、少なくともプラスとマイナスの２本の導電線をケーブル上に露出させることなく、これら導電線の一部を所定の抵抗値をもった導電体によってケーブルの表面に接続したことにより、スパークを防止のための保守管理が不要になるだけでなく、ケーブルに電気柵の電源装置からの全出力を供給しても、狭い間隔でもスパークが起こらず、より長距離に送電が可能となると共に、動物がケーブルの表面に露出するプラスとマイナスの導電体に触れた時には電気ショックを与えることができるという大きな利益をもたらすことが出来る。
【００１８】
また、本発明のケーブルは、加工性を向上させると同時に、ケーブルから導電線が飛び出す問題を解決し実用性を大きく向上させている。特に、草や花などの多少通電性があるものが繁茂している土地に敷設して、これらが本発明のケーブルに接触しても、ケーブルの表面に露出する導電体には所定の抵抗値があるために漏電をできるだけ少なくし、より長距離に安定的にショック電気を送ることが出来るという効果がある。
【図面の簡単な説明】
【００１９】
【図１】（ａ）から（ｆ）はケーブルの第１の実施形態の色々な例を示す斜視図である。
【図２】（ａ）は図１（ｄ）の構造のケーブルを使用して網状にした構成を示す部分斜視図、(ｂ)は（ａ）の一部分の側面図である。
【図３】（ａ）から（ｃ）はケーブルの第２の実施形態の色々な例を示す斜視図、（ｄ）はケーブルの第３の実施形態の例を示す斜視図である。
【図４】（ａ）から（ｄ）はケーブルの第４の実施形態の色々な例を示す斜視図である。
【図５】（ａ）、（ｂ）はケーブルの第５の実施形態の例を示す斜視図である。
【図６】（ａ）、（ｂ）はケーブルの第６の実施形態の例を示す斜視図である。
【図７】（ａ）はケーブルの第７の実施形態の例を示す断面図、（ｂ）は（ａ）の撚り線の構成を示す斜視図である。
【図８】（ａ）はケーブルを使用した電気柵の構成の一例を示す斜視図、（ｂ）はケーブルを使用した簡易電気柵の構成の一例を示す断面図、（ｃ）はケーブルを使用した簡易電気柵の構成の別の例を示す断面図である。
【図９】（ａ）から（ｄ）は図１（ａ）、（ｂ）で説明したケーブルの第１の実施形態の更に別の例を示す断面図である。
【図１０】図３（ａ）に示した第２の形態のケーブルの変形例を示す断面図である。
【図１１】（ａ）は導電ケーブルの第８の実施形態の例を示す平面図、（ｂ）は（ａ）のＢ−Ｂ線における断面を含む導電ケーブルの斜視図、（ｃ）は（ａ）のＣ−Ｃ線における断面を含む導電ケーブルの斜視図、（ｄ）は（ａ）に示した導電ケーブルの端部における短絡処理を示す斜視図、（ｅ）は（ａ）に示した導電ケーブルの上面における短絡処理を示す斜視図である。
【図１２】（ａ）は導電ケーブルの第８の実施形態の例を示す断面図、（ｂ）は（ａ）の導電ケーブルを金属パイプに巻きつけて使用した例を示す斜視図である。
【図１３】（ａ）は導電ケーブルの第９の実施形態の例を示す断面図、（ｂ）は（ａ）の変形例の断面図、（ｃ）は（ｂ）の変形例の断面図、（ｄ）は（ａ）に示した別の変形例の断面図、（ｅ）は（ｂ）に示した導電ケーブルを金属パイプに取り付けた状態を示す斜視図である。
【図１４】（ａ）は第１０の実施形態の導電ケーブルを使用した電撃装置の例を示す部分斜視図、（ｂ）は（ａ）の一部分の拡大部分断面図、（ｃ）は（ａ）の別の部分の拡大部分断面図、（ｄ）は第１０の実施形態の導電ケーブルの第１の変形実施例を使用した電撃装置の（ｃ）と同じ部位を示す部分断面図、（ｅ）は第１０の実施形態の導電ケーブルを使用する電撃装置のフラットケーブルの別の例を示す断面図、（ｆ）は（ｅ）に示したフラットケーブルを連結した状態を示す断面図である。
【図１５】（ａ）は図１４（ａ）に示した電撃装置を連結可能に構成した場合の実施例を示す部分斜視図、（ｂ）は（ａ）の連結後の側面図である。
【図１６】（ａ）は第１０の実施形態の導電ケーブルの第２の変形実施例を使用した電撃装置の一部分の拡大部分断面図、（ｂ）は第１０の形態の導電ケーブルの第３の変形実施例を使用した電撃装置の一部分の拡大部分断面図、（ｃ）は第１０の実施形態の導電ケーブルの第４の変形実施例を使用した電撃装置の一部分の拡大部分断面図、（ｄ）は第１０の実施形態の導電ケーブルの第３の変形実施例を使用した電撃装置の別の実施例の断面図、（ｅ）は第１０の実施形態の導電ケーブルの第５の変形実施例を使用した電撃装置の実施例の断面図、（ｆ）は第１０の実施形態の導電ケーブルを使用した別の実施例の電撃装置の部分斜視図である。
【図１７】（ａ）は第１０の実施形態の導電ケーブルを取り付けることができる幅木の部分拡大斜視図、（ｂ）は（ａ）の幅木を取り付けた部屋の斜視図である。
【発明を実施するための形態】
【００２０】
以下、添付図面を用いて本発明のケーブル及び該ケーブルを使用した電撃装置の実施の形態を、具体的な実施例に基づいて詳細に説明する。
【００２１】
図１（ａ）から（ｆ）は、第１の実施形態のケーブル１１の色々な例を示すものである。第１の実施形態のケーブル１１は、２本の導電線１，２とこれを被覆する絶縁部材３、及び導電体４とから構成される。図１（ａ）に示すケーブル１１は断面が楕円状であり、絶縁部材３の中にプラス側導電線１とマイナス側導電線２とが絶縁部材３によって絶縁された状態で配置されている。そして、プラス側導電線１とマイナス側導電線２とは、所定の抵抗値を有する導電体４によってケーブル１１の表面に接続されている。即ち、一端がプラス側導電線１またはマイナス側導電線２に接続する導電体４は、ケーブル１１の表面に露出している。この構成において、図示はしないが、ケーブル１１の表面に導電体４の極性を表示するマーキングを施しても良い。
【００２２】
絶縁部材３は、ポリエチレン、ポリプロピレン、塩化ビニールなどの絶縁性の樹脂で作ることができる。一方、導電体４は、絶縁部材３に所定の導電剤を混合することによって得ることができる。例えば、前述の絶縁部材３に、カーボンなどの電導性のものを一定量混ぜ合わせることで、ある一定の抵抗値をもった部分が構成される。導電体４は、絶縁部材３と基材が同じために、ケーブル加工時の引き出し成型にあっても、絶縁部材３とこの抵抗値を持った導電体４の部分のなじみは良く、絶縁部材３から導電体４が剥離する事はない。導電体４の抵抗値は、鳥や猿がショックとして感じる電圧がこのケーブルで感じるように設定する。例えば、導電体４の抵抗値は、１ｍｍ厚さあたり０．５オーム以上とすれば良い。
【００２３】
図１（ｂ）に示すケーブル１１も断面が楕円状であり、絶縁部材３の中にプラス側導電線１とマイナス側導電線２とが絶縁部材３によって絶縁された状態で配置されている。そして、プラス側導電線１とマイナス側導電線２とは、所定の抵抗値を有する導電体４によってケーブル１１の表面に接続されている。図１（ｂ）のケーブル１１が図１１（ａ）のケーブル１１と異なる点は、プラス側導電線１をケーブル１１の表面に接続する導電体４が２箇所に設けられている点である。従って、プラス側導電線１に接続する導電体４は、ケーブル１１の表面に、近接する２箇所で露出している。このように、プラス側導電線１がケーブル１１の表面の２箇所に接続され、マイナス側導電線２がケーブル１１の表面の１箇所に接続されていると、ケーブル１１の外側からの目視により、どちらがプラス側導電線１に接続する導電体４であるかを判断することができる。
【００２４】
図１（ｃ）に示すケーブル１１は、絶縁部材３の断面形状が楕円状から２つの円の一部が重なった形状に変更されているだけであり、プラス側導電線１とマイナス側導電線２および導電体４の構成は図１（ａ）に示されるケーブル１１と同じである。即ち、図１（ｃ）に示すケーブル１１は、プラス側導電線１を備えた円柱１１Ａと、マイナス側導電線２を備えた円柱１１Ｂの側面の一部が結合されて平行に重なった形状をしている。この例では、円柱１１Ａと円柱１１Ｂの色を変えるか、或いはケーブル１１の外表面に導電体４の極性を示すマーキングを施すことにより、導電体４の極性が外部からの目視により判断できるようにすることができる。
【００２５】
図１（ｄ）に示すケーブル１１は、図１（ｃ）に示すケーブル１１における円柱１１Ａと円柱１１Ｂの側面同士が直接結合されておらず、接続板１１Ｃによって所定間隔を隔てて結合されている点のみが図１（ｃ）のケーブル１１と異なる。図１（ｄ）に示すケーブル１１は、接続板１１Ｃに所定間隔で取り付け孔１１Ｈを設けておけば、この取り付け孔１１Ｈに、節を有する竹状の棒や、途中に係止突起を設けたロッドを挿通し、竹状の棒やロッドを地面に立てることにより、容易に張設することができる。この例のケーブル１１も、円柱１１Ａ、円柱１１Ｂ、或いは接続板１１Ｃの何れかの部位にマーキングを施すことにより、導電体４の極性を外部から判断できるようにすることができる。
【００２６】
また、図１（ｅ）に示すケーブル１１は、図１（ｄ）に示すケーブル１１におけるプラス側導電線１に接続する導電体４が、図１（ｂ）で説明したケーブル１１のように２ケ所に設けられている点のみが異なる。更に、図１（ｆ）に示されるケーブル１１は、プラス側導電線１とマイナス側導電線２とを有する断面が楕円形の絶縁部材３の一方の側面が支持壁１１Ｄによって側方に延長され、その先に平板状のベース１１Ｅが形成されたものである。この例のプラス側導電線１とマイナス側導電線２は、導電体４によって支持壁１１Ｄと反対側のケーブル１１の表面に接続されている。この例のケーブル１１はベース１１Ｅによって床面などに設置することができる。
【００２７】
以上のように構成された第１の実施形態のケーブル１１は、プラス側導電線１とマイナス側導電線２が、導電体４によってケーブル１１の表面に接続されている。よって、導電体４が水平方向に露出するようにケーブル１１を張設しておくと、鳥がこのケーブル１１の上に止まると、鳥はその足でケーブル１１の周囲を掴むので、足がプラス側導電線１とマイナス側導電線２に接続する導電体４の両方に触れることになり、電気ショックを受けるので、このケーブル１１に近づかなくなる。同様に、猿はケーブル１１に飛びついた時に手でケーブル１１を掴むので、手がプラス側導電線１とマイナス側導電線２に接続する導電体４の両方に触れて電気ショックを受けるので、このケーブル１１に近づかなくなる。
【００２８】
また、以上のように構成された第１の実施形態のケーブル１１は、プラス側導電線１とマイナス側導電線２が、導電体４によってケーブル１１の表面に接続されているが、導電体４のケーブル１１の表面への露出部分が、ケーブル１１を直交させても接触しないようになっている。従って、第１の実施形態のケーブル１１は、図２（ａ）、（ｂ）に示すように、直交させて網１０を作ることができる。そして、この網１０を用いることにより、電撃装置としての網型の電撃フェンスを構成することができる。
【００２９】
なお、図２（ａ）、（ｂ）に示すような網１０を、ケーブル１１を直交させて形成する場合は、ケーブル１１が交差する部分に絶縁体から構成された部材を挿入したり、ケーブル１１が交差する部分を樹脂で完全に固定するようにしても良い。また、ケーブル１１を直交させずに梯子状に張設しても、梯子を掴んで登ることができる猿のような動物には有効である。更に、この例のケーブル１１は、間隔が保たれれば、単純に平面に対して平行に配置する必要はない。例えば、この例のケーブル１１は、螺旋状に配置することができる。
【００３０】
図３（ａ）から（ｃ）は、第２の実施形態のケーブル１２の色々な例を示すものである。第２の実施形態のケーブル１２は、第１のケーブル１１にフィン５が付加されている点が第１のケーブル１１と異なる点である。このフィン５は、高電圧が印加されるケーブル１２の、導電体４同士が接触しないように隔離するためのものである。フィン５の数は１つでも良いし、複数でも良い。また、フィン５の材質は、柔軟な材料でも硬い材料でも良い。更に、フィン５はケーブル１２と一体的に形成しても良いし、ケーブル１２とは別体でも良い。この例では、フィン５をケーブル１２と一体的に形成した例を説明する。
【００３１】
図３（ａ）に示すケーブル１２は、図１（ｄ）で説明したケーブル１１の接続板１１Ｃの両側に斜め方向に伸びるフィン５が一体的に形成されたものである。フィン５が伸びる方向は接続板１１Ｃに対して同じ方向でも異なる方向でも良い。この例のフィン５は、一方が円柱１１Ａ側に傾いており、他方が円柱１１Ｂ側に傾いている。図３（ａ）に示すケーブル１２は、図３（ａ）に示したケーブル１２のフィン５が接続板１１Ｃに対して垂直方向に設けられている点のみが異なる。図３（ｃ）に示すケーブル１２は、図１（ａ）で説明したケーブル１１の，導電体４が露出している部分から離れた部分に、斜め方向に伸びるフィン５が一体的に形成されたものである。
【００３２】
図３（ｄ）に示すケーブル１３は、第３の実施形態のケーブル１３の一例の構成を示すものである。第３の実施形態のケーブル１３は、絶縁部材３の中に複数のプラス側導電線１(この例では３本）と、複数のマイナス側導電線２(この例では２本）が配置されたものである。絶縁部材３の断面は台形を上下逆にした形状であり、複数のプラス側導電線１とマイナス側導電線２ｌは、導電体４によって全てケーブル１３の台形の下底側の表面に露出している。特に、両側のプラス側導電線１は、導電体４によって台形の下底と斜辺の接続部分に露出している。
【００３３】
更に、この例のケーブル１３では、２本のマイナス側導電線２ｌが、導電体４によって全てケーブル１３の台形の下底側の表面に露出しているのみならず、台形の上底側の表面にも露出している。従って、この例のケーブル１３は、台形の上底側を導電性のある取り付け面に設置すれば、取り付け面と台形の下底側の表面に露出するプラス側の導電体４との間に電位差を発生させ、動物にショックを与え易くなる。
【００３４】
図４（ａ）から（ｄ）は、第４の実施形態のケーブル１４の色々な例を示すものである。第４の実施形態のケーブル１４は、第２の実施形態のケーブル１２と同様にフィン５が付加されているが、第２の実施形態のケーブル１２とは、導電体４がなく、プラス側導電線１とマイナス側導電線２の一部が直接ケーブル１４の表面に露出している点が異なる。このフィン５は、高電圧が印加されるケーブル１４の、プラス側導電線１同士またはマイナス側導電線２同士が接触しないように隔離するためのものである。
【００３５】
フィン５の数は１つでも良いし、複数でも良い。また、フィン５の材質は、柔軟な材料でも硬い材料でも良い。更に、フィン５はケーブル１４と一体的に形成しても良いし、ケーブル１４とは別体でも良い。この例ではフィン５をケーブル１４と一体的に形成した例を説明する。
【００３６】
図４（ａ）に示すケーブル１４は、図３（ａ）に示すケーブル１２と形状が同じであるが、導電体４がなく、プラス側導電線１とマイナス側導電線２の一部が直接ケーブル１４の表面に露出している点が異なる。図４（ｂ）に示すケーブル１４は、図３（ｂ）に示すケーブル１２と形状が同じであるが、導電体４がなく、プラス側導電線１とマイナス側導電線２の一部が直接ケーブル１４の表面に露出している点が異なる。図４（ｃ）に示すケーブル１４は、図４（ａ）に示すケーブル１４の一方（図の右側のフィン）のフィン５を２枚にした点が異なる。また、図４（ｄ）に示すケーブル１４は、図４（ｃ）に示すケーブル１４のフィン５の数を左右で入れ替えた点が異なる。
【００３７】
第４の実施形態のケーブル１４において、図４（ａ）に示すように、フィン５に柔軟な材質が用いられて、フィン５が斜めに延長されていることにより、碍子でケーブル１４を挟んだ場合、フィン５の部分がケーブル１４の表面に露出しているプラス側またはマイナス側の導電線１，２を覆う形をとり、碍子部分でもスパークを防ぐことが可能である。また、図４（ｃ），（ｄ）に示すケーブル１４は、左右のフィン５の形状が異なる例を示しており、図４（ｄ）に示すケーブル１４の上下を逆にしてフィン５を結合させて並べれば、プラス側導電線１とマイナス側導電線２とが交互に並ぶブロック型ケーブルを構築することもできる。
【００３８】
また、第２、第４の実施形態のフィン５が設けられたケーブル１２，１４は、通常の碍子を用いてポスト間に張設することができる。これは、このフィン５の働きにより、第２の実施形態では導電体４と導電体４の間、第４の例ではプラス側導電線１とマイナス側導電線２の極間に十分な絶縁の沿面距離が稼げるために、碍子内でスパークや、漏電が起こらないからである。
【００３９】
図５（ａ）は第５の実施形態のケーブル１５の例を示すものである。この例のケーブル１５は、断面が矩形の絶縁部材３の一方の長辺の両側のコーナー部に、プラス側導電線１とマイナス側導電線２が、その一部を露出させた状態で配置され、プラス側導電線１とマイナス側導電線２の間にリブ６が設けられたものである。このリブ６により、ケーブル１５に直交する方向に導電体が重なっても、プラス側導電線１とマイナス側導電線２とが接触しない。第５の実施形態のケーブル１５は、プラス側導電線１とマイナス側導電線２、およびリブ６がない側の長辺を平面に取り付けることができる。
【００４０】
図５（ｂ）は第５の実施形態のケーブル１５の別の例を示すものであり、図５（ａ）に示したケーブル１５との相違点は、プラス側導電線１とマイナス側導電線２の間に２枚のリブ６が平行に設けられ、２枚のリブ６の間の領域に、所定間隔で取付孔７が形成されている点である。従って、図５（ｂ）に示す例のケーブル１５では、取付孔７に、釘やねじ等の取付部材９を挿通することにより、ケーブル１５を平面に固定することができる。
【００４１】
図６（ａ）は第６の実施形態のケーブル１６の例を示すものである。この例のケーブル１６は、図１（ｃ）で説明したケーブル１１の変形例を示すものである。図１（ｃ）で説明したケーブル１１では、プラス側導電線１が絶縁部材３で構成された円柱１１Ａの中に配置されており、マイナス側導電線２が絶縁部材３で構成された円柱１１Ｂの中に配置されていた。一方、図６（ａ）に示す例では、プラス側導電線１が絶縁部材３で構成された角柱１６Ｄの中に配置されている点が異なる。マイナス側導電線２は、図１（ｃ）に示したケーブル１１と同様に、絶縁部材３で構成された円柱１６Ｂの中に配置されている。
【００４２】
図６（ｂ）は第６の実施形態のケーブル１６の別の例を示すものである。この例のケーブル１６は、図１（ｄ）で説明したケーブル１１の変形例を示すものである。図１（ｃ）で説明したケーブル１１では、プラス側導電線１が配置された円柱１１Ａとマイナス側導電線２が配置された円柱１１Ｂの径が同じであった。一方、図６（ｂ）に示す例では、プラス側導電線１が配置された円柱１６Ａの直径の方が、マイナス側導電線２が配置された円柱１６Ｂの直径よりも大きく構成されている。
【００４３】
このように、プラス側導電線１を被覆する絶縁部材３の形状と、マイナス側導電線２を被覆する絶縁部材３の形状とを異ならせることにより、ケーブル１６の外側からどちらがプラス側導電線１に接続する導電体４であるかを判断することができる。ケーブル１６の外側からどちらがプラス側導電線１に接続する導電体４であるかを判断することは非常に重要である。その理由は、ケーブルを接続してケーブルを延長をする際、接続するケーブルの極性を誤ると電気柵として用をなさなくなるためである。ケーブル１６の外側からどちらがプラス側導電線１に接続する導電体４であるかを判断する方法としては、この他にもケーブルの絶縁部材の表面に、導電体４が接続する導電線がプラス側かマイナス側かの表示を印刷するなどの方法がある。
【００４４】
図７（ａ）は第７の実施形態のケーブル１７の例を示すものであり、図１（ａ）で説明したケーブル１１の変形例である。図１（ａ）で説明したケーブル１１では、プラス側導電線１とマイナス側導電線２の両方に単線（モノフィラメント）のワイヤが使用されていたが、第７の実施形態のケーブル１７では一方の導電線、例えばプラス側導電線１に図７（ｂ）に示すような撚り線（マルチフィラメント）８が使用されている。第７の実施形態のケーブル１７では両方の導電線を撚り線８とすることもできる。
【００４５】
このように、プラス側導電線１とマイナス側導電線２の少なくとも一方を撚り線８とすることにより、ケーブルをより強く張設することができる。また、ケーブルの導電線を撚り線とした側の被覆を剥離し、金属製のポストにケーブルを固定すると、猿はポストをよじ登って行くことが困難になる。その理由は、ポストと、撚り線以外のケーブルの極が異なるため、それらに猿が触れると感電するためである。
【００４６】
現在、電気柵には、大きく分けて２つのタイプある。１つは、ポストに碍子や、クリップをつけて電気柵のワイヤ(裸線）を架線するものである。もう１つは、フェンスの一部または全てを網で構成するものである。
【００４７】
ポストに碍子や、クリップをつけて電気柵のワイヤ(裸線）を架線するタイプは一般的であるが、床面がコンクリートであったり、地面でも完全に乾燥していたりすると、たとえ電気柵のワイヤに触れたとしても地面との間に電位が発生しないため動物に電気ショックを与えることが出来なかった。そこで、架線するワイヤを電気柵の電源装置の２次側の異なる極を交互に架線する方法が取られていた。具体的には、フェンスワイヤ、アースリターンワイヤを配置する方法であるが、これらのワイヤを通電するワイヤに近づけすぎるとスパークや漏電が発生し、逆にこれらのワイヤと通電するワイヤとの間隔を広げすぎると、場合によっては、動物が絡まってしまう問題があった。
【００４８】
このような従来の電気柵の問題点に対して、本発明に示すケーブルは、１本のケーブルの表面に、プラス側導電線に接続する導電体とマイナス側導電線に接続する導電体、或いはプラス側導電線自身の一部とマイナス側導電線自身の一部とが、互いに接触しない状態で露出しているので、電気柵に対して電気柵のケーブルを掴む種類の動物、例えば鳥類や猿、に対して１本のケーブルを掴まれた時に電気ショックを与えることができる。
【００４９】
図８（ａ）は、第１から第７のケーブル１１〜１７（これらを総称してケーブル２２という）を使用した電気柵２０の構成の一例を示すものである。ケーブル２２は、従来の通電用ワイヤと同様にポスト２１とポスト２１の間に掛け渡して架線することができる。ポスト２１は多少力が加わるとしなる柔軟な材料で構成することができる。また、この例では１本のポスト２１に１本のケーブル２２が取り付けられているが、複数本のケーブル２２を平行にポスト２１に取り付けても良い。
【００５０】
図８（ｂ）は、既存の塀又はフェンス２３の上部に取付リング２４を所定間隔で設け、この取付リング２４にケーブル２２を挿通した簡易電気柵２０の構成の一例を示すものである。取付リング２４にはケーブル２２を既存の塀又はフェンス２３の頂面から離間させるために取付軸が設けられていることが望ましい。また、取付リング２４は導電体で構成してケーブル２２のアース側に接触させるか、或いは絶縁体で構成する。
【００５１】
図８（ｃ）は、既存の塀又はフェンス２３の側面に少なくとも１本のステー２５を所定間隔で設けて、このステー２５の先端部にケーブル２２を取り付けた簡易電気柵２０の構成の別の例を示すものである。ステー２５の本数はこの例では３本であるが、ステー２５の本数は特に限定されるものではない。また、この例ではステー２５の長さが地面に近いほど長くしてあるが、ステー２５の長さは地面に近いほど短くしても、或いは、全て同じ長さにしても良い。
【００５２】
図９（ａ）から（ｄ）は図１で説明した第１の実施形態のケーブル１１の更に別の例の構成を示すものである。よって、同じ構成部材には同じ番号を付して説明する。（ａ）に示すケーブル１１は、導電体４の引き出し方向を、平行かつ斜め方向にしたものである。（ｂ）に示すケーブル１１は、導電体４の引き出し方向を、平行かつ同じ方向にしたものである。（ｃ）に示すケーブル１１は、図１（ａ）に示したケーブル１１の導電体４を、ケーブル１１の表面から突出させたものである。更に、図９（ｄ）に示すケーブル１１は、ケーブル１１を覆う絶縁部材の対向する面に溝３０を形成して、導電線１，２の間の縁面距離を増大させたものである。
【００５３】
図１０は、図３（ａ）で説明した第２の実施形態のケーブル１２の変形例の構成を示すものである。図３（ａ）で説明した第２の実施形態のケーブル１２では、フィン５が直線状であったが、この変形例ではフィン５がプラス側導電線１とマイナス側導電線２を覆うように設けられている点が異なる。
【００５４】
従来の、フェンスの一部または全てを網で構成するタイプの電気柵では、網の中に通電ワイヤが編みこまれている場合、網は、多くの場合、合成樹脂のフィラメントを撚り寄り合わせて作られているために、毛細管現象で、雨天時は、草がフェンスにかかったような漏電状態が発生した。また、金属製の網等も含めて、フェンス下部の部分に通電しないシステム隔障物を設置した場合、猿などの動物がよじ登り始めると、そのフェンスの前、もしくは上に設置したワイヤの隙間が発生し簡単に侵入されたり、または漏電を引き起こす問題があった。
【００５５】
これに対して、ワイヤは、図２に示したように、縦横に編んでもスパークや漏電が発生しないので、容易に所望の大きさの網を構成することができ、網を掴むような動物、例えば鳥類や猿、に対して網の一部が掴まれた時に電気ショックを与えることができる。このため、所望の範囲を鳥や猿による被害から守ることができる。
【００５６】
更にケーブルは、樹木全体に巻きつけるように配置する、樹木の下に一定間隔で取り付ける、被害を受けやすい農作物の上に、一定間隔で取り付ける、等の使用方法が考えられる。
【００５７】
図１１（ａ）は、第８の実施形態のケーブル１８の構成を示すものである。また、図１１（ｂ）は（ａ）のＢ−Ｂ線における断面を含むケーブル１８の斜視図であり、図１１（ｃ）は（ａ）のＣ−Ｃ線における断面を含むケーブル１８の斜視図である。この例のケーブル１８は、断面がかまぼこ状をしており、内部に４本の導電線（２本のプラス側導電線１と２本のマイナス側導電線２）が平行に設けられている。
【００５８】
２本のプラス側導電線１は、図１１（ｂ）に示すように、導電体４でケーブル１８の表面に導かれている。一方、２本のマイナス側導電線２は、それぞれ２条の導電体４でケーブル１８の表面に導かれている。また、２本のマイナス側導電線２同士は、ケーブル１８の途中で、連絡線２Ｃによって接続されている。また、２本のプラス側導電線１は、図１１（ｃ）に示すようにケーブル１８の途中で、連絡線１Ｃによって接続されている。よって、この例のケーブル１８では、図１１（ａ）に示すように、２本のプラス側導電線１のうちの１本を電源に接続し、２本のマイナス側導電線２のうちの１本をアースに落とせば良い。連絡線１Ｃ，２Ｃは、導電ケーブル１８に所定間隔毎に設ければ良い。
【００５９】
なお、連絡線１Ｃ，２Ｃは、ケーブル１８に所定間隔毎に設けずに、図１１（ｄ）に示すように、ケーブル１８を張設した後に、ケーブル１８の端部においてワイヤを用いて２本のプラス側導電線１と２本のマイナス側導電線２を接続しても良い。更に、この連絡線１Ｃ，２Ｃは、図１１（ｅ）に示すように、ケーブル１８の途中で、２本のプラス側導電線１又は２本のマイナス側導電線２に接続する導電体４に切り欠き部を設け、この切り欠き部において２本のマイナス側導電線２又２本のプラス側導電線１を導電体４を用いて接続することもできる。
【００６０】
図１２（ａ）は図１１に示した第８の実施形態のケーブル１８の変形例を示すものである。この変形例のケーブル１８も断面がかまぼこ状をしており、内部にプラス側導電線１とマイナス側導電線２がそれぞれ１本ずつ平行に設けられている。プラス側導電線１は、導電体４でケーブル１８の湾曲した表面に導かれている。一方、マイナス側導電線２は、導電体４でケーブル１８の湾曲した表面に導かれていると共に、平坦な底面に導かれている。
【００６１】
よって、この変形例のケーブル１８は、平坦な底面を床面や地面に敷設したり、図１２（ｂ）に示すように、ケーブル１８を導電性を有する金属パイプ２６に巻きつけて使用することができる。この場合、ケーブル１８の内部のマイナス側導電線２は導電体４で金属パイプ２６に接続されているので、小動物が金属パイプ２６とプラス側の導電体４に触れれば電気ショックを受けることになる。また、この変形例のケーブル１８の配線時には、プラス側導電線１と金属パイプ２６に電源を接続することができる。
【００６２】
図１３（ａ）から（ｄ）は第９の実施形態のケーブル１９の第１から第４の例を示す断面図である。第９の実施形態のケーブル１９は、断面が円柱に取り付け可能な略三日月状をしている。この形状を正確に述べると、第９の実施形態のケーブル１９の断面形状は、半径の大きな円弧とこれより半径の小さな円弧とを組み合わせてできる三日月状である。従って、第９の実施形態のケーブル１９は、断面が三日月状の絶縁部材の両端部を広げて円柱に被せることにより、内側の円弧と同程度の半径を備えた円柱にはめ込んで取り付けることができる。即ち、図１３（ａ）から（ｄ）及び図３（ｅ）に示すように、金属パイプ２６の外表面に取り付けることができる。
【００６３】
第９の実施形態のケーブル１９の第１の例では絶縁部材３の内部に２本の導電線（プラス側導電線１とマイナス側導電線２）、第２と第３の例では絶縁部材３の内部に３本の導電線（１本のプラス側導電線１と２本のマイナス側導電線２）、第４の例では絶縁部材３の内部に５本の導電線（２本のプラス側導電線１と３本のマイナス側導電線２）が、それぞれケーブル１９の長手方向に対して平行に設けられている。
【００６４】
第９の実施形態のケーブル１９のプラス側導電線１は、導電体４でケーブル１９の外側の表面のみに導かれている。一方、マイナス側導電線２は、導電体４でケーブル１９の外側の表面と内側の表面の両方に導かれている。また、図１３（ｃ）に示す第３の例では、２本のマイナス側導電線２同士は、導電体４を介してケーブル１９の内側の表面で接続されている。このため、第９の実施形態のケーブル１９を導電性のある金属パイプ２６に取り付けると、マイナス側導電線２は導電体４を介して金属パイプ２６に接続される。
【００６５】
よって、図１３（ｅ）に示すような金属パイプ２６に被せて取り付けた第９の実施形態のケーブル１９では、プラス側導電線１のみに電源を接続し、マイナス側電線２にはアース線を接続せずに、金属製の金属パイプ２６をアースに接続することができる。
【００６６】
以上のように構成された第９の実施形態のケーブル１９では、このケーブル１９を金属パイプ２６等に被せて使用することにより、簡易的に電撃装置を構成することができる。そして、ケーブル１９の表面にはプラスの電位とマイナスの電位を備えた導電体４が少なくとも１条ずつ露出しているので、第９の実施形態のケーブル１９に通電を行っておけば、このケーブル１９に触れた小動物がケーブル１９から電気ショックを受けることになり、小動物を排除することができる。また、ケーブル１９の表面に数多くの導電体４を露出させたケーブル１９は、動物に対して電気ショックを与えやすい。
【００６７】
図１４（ａ）は第１０の実施形態の導電ケーブル４１を使用した電撃装置の実施例を示すものであり、電撃装置はこの導電ケーブル４１を取り付けるフラットケーブル２７を備えている。フラットケーブル２７及び導電ケーブル４１は実際には長いものであり、この図にはフラットケーブル２７及び導電ケーブル４１の一部分のみが示してある。図１４（ｂ）は（ａ）の導電ケーブル４１の取り付け前の部分断面を示しており、（ｃ）は（ａ）の導電ケーブル４１の取り付け後の部分断面を示している。
【００６８】
第１０の実施形態の導電ケーブル４１は、図１４（ｂ）に詳細を示すように、１本の導電線４２が絶縁部材３で覆われると共に、絶縁部材３の一部が一定値以上の抵抗値を有する導電体４で置換されて導電線４２がこの導電体４を介して絶縁部材３の表面に接続されたケーブルである。この実施例のフラットケーブル２７には、その一方の面に５本の溝３１が平行に設けられている。溝３１は、ケーブル４１の絶縁部材３の表面に接続する導電体４が、露出した状態で収容可能な形状に構成されている。
【００６９】
電撃装置を構成する場合は、フラットケーブル２７の溝３１に導電ケーブル４１を、導電体４が露出するように挿入し、図１１で説明した実施例と同様に、隣接する導電ケーブル４１を高圧電源とグランドにそれぞれ接続すれば良い。このようにして構成された電撃装置は、敷設後にフラットケーブル２７の表面に、プラス極とマイナス極に接続された導電体４が交互に露出するので、動物が隣り合う２つの導電体４に同時に触れると電気ショックを受けることになる。このフラットケーブル２７を使用した電撃装置は、床面に敷設したり、壁面に取り付ける等、必要に応じて何処にでも設置することができる。従って、電撃装置は、電気ショックにより排除した動物や昆虫等に対して有効と思われる場所に設置が可能である。
【００７０】
図１４（ｄ）は、第１０の実施形態の導電ケーブル４１の第１の変形実施例を、フラットケーブル２７の溝３１に挿入する状態を説明するものである。図１４（ｂ）、（ｃ）で説明した導電ケーブル４１は、導電体４が細いライン状に絶縁部材３の表面に露出しているので、導電ケーブル４１を溝３１に挿入した時に、露出した導電体４が真上を向かないことがある。そこで、第１の変形実施例の導電ケーブル４１では、絶縁部材３の表面に露出させる導電体４が太いライン状にしてある。こうすれば、導電ケーブル４１を溝３１に挿入した時に、よほどのことがない限り、露出した導電体４が真上を向くようになる。更に、導電ケーブル４１の導電線４２を被覆する絶縁部材３を全て導電体４で置き換えることも可能である。更に又、導電ケーブル４１の代わりに、溝３１に導電ケーブル４１と同じ径の導電線４２のみを嵌め込むことも可能である。
【００７１】
図１４（ｅ）は電撃装置の別の実施例のソケットケーブル２８の構成を示すものであり、最小単位のソケットケーブル２８を示している。従って、この実施例のソケットケーブル２８も絶縁部材３で構成されており、その一面にはただ１つの溝３１が設けられている。また、ソケットケーブル２８の両側面には。このソケットケーブル２８を連結するための連結突起３２と、連結溝３３が設けられている。この実施例のソケットケーブル２８は、図１４（ｆ）に示すように、連結突起３２と連結溝３３を連結させることにより、所望の溝数を備えたフラットケーブルとすることができる。
【００７２】
なお、この実施例では、最小単位のソケットケーブル２８を、断面が矩形のケーブルとして示してあるが、ソケットケーブル２８の断面形状は矩形に限定されるものではない。また、この実施例では、連結突起３２の断面形状が台形であり、連結溝３３の断面形状も台形になっているが、連結突起３２と連結溝３３の形状は台形に限定されるものではなく、連結できる機能を有する形状であればその形状はどのようなものでも良い。
【００７３】
図１５（ａ）は図１４（ａ）に示した電撃装置を連結可能に構成した場合の実施例を示すものであり、（ｂ）は（ａ）の電撃装置を連結した後の側面図である。この図もフラットケーブル２７及び導電ケーブル４１の一部分のみを示すものである。この実施例のフラットケーブル２７には、その一方の側面に連結突起４３が設けられており、他方の側面に連結溝（図示せず）が設けられている。また、電撃装置を設置する床面に対して、連結突起４３を隠すと共に、電撃装置の表面をなだらかに床面に接続するためのエッジケーブル２９をフラットケーブル２７の側面に連結することもできる。このように連結したフラットケーブル２７を使用した電撃装置は、床面全体等のように広い領域に敷設することができる。
【００７４】
なお、電撃装置として使用するフラットケーブル２７は、特に平坦である必要はなく、表面が湾曲していても、表面に凹凸があっても、また孔が開いていても良い。また、ケーブル自体が直線状でなく、湾曲形状であっても、蛇行形状であっても良い。そして、フラットケーブル２７に柔軟性を持たせておけば、接着剤、或いは両面テープを使用することによって、円柱状のポールや、角張った柱等に巻きつけて設置することが可能である。
【００７５】
図１６（ａ）は第１０の実施形態の導電ケーブルの第２の変形実施例の導電ケーブル４４を使用した電撃装置の一部分を示すものである。第２の変形実施例の導電ケーブル４４は、フラットケーブル２７の溝３１に収容される大径部と、溝３１から突出するように径が小さく形成された小径部とを備えている。そして、導電線４２に接続する導電体４が小径部に露出している。従って、導電ケーブル４４の大径部の溝３１に嵌め込めば、小径部がフラットケーブル２７から突出し、導電体４が真上を向くようになる。
【００７６】
図１６（ｂ）は第１０の実施形態の導電ケーブルの第３の変形実施例の導電ケーブル４５を使用した電撃装置の一部分を示すものである。第３の変形実施例の導電ケーブル４５は、断面が正三角形状をしており、導電線４２に接続する導電体４が正三角形の１つの頂点に接続されている。そして、フラットケーブル２７に設けられた溝３１の形状は、導電ケーブル４５を受け入れ時に、その１つの頂点がフラットケーブル２７の表面から突出するような形状になっている。従って、導電ケーブル４５を、導電体４が露出するように溝３１に嵌め込めば、導電体４が真上を向いてフラットケーブル２７から突出する。
【００７７】
なお、断面が正三角形状の導電ケーブル４５を、図１６（ｂ）の右側に示すように、導電線４２に接続する導電体４が正三角形の３つの頂点全てに接続するように構成すれば、導電ケーブル４５を、その向きを考えずに溝３１に嵌め込んでも、導電体４が必ず真上を向いてフラットケーブル２７から突出する。
【００７８】
図１６（ｃ）は第１０の実施形態の導電ケーブルの第４の変形実施例の導電ケーブル４６を使用した電撃装置の一部分を示すものである。第４の変形実施例の導電ケーブル４６は、断面が楕円形状をしており、導電線４２に接続する導電体４が楕円の長軸方向に導電線４２の両側に設けられて導電ケーブル４６の表面に接続されている。そして、フラットケーブル２７に設けられた溝３１の形状は、導電ケーブル４６を受け入れ時に、その長軸方向の端部がフラットケーブル２７の表面から突出するような形状になっている。従って、導電ケーブル４６を、長軸方向に溝３１に嵌め込めば、どちらを上にしても導電体４が真上を向いてフラットケーブル２７から突出する。
【００７９】
図１６（ｄ）は第１０の実施形態の導電ケーブルの第３の変形実施例の単芯ケーブル４５を使用した、電撃装置の別の実施例を示すものである。この実施例のソケットケーブル２８は、１つの単芯ケーブル４５を収容できるタイプであり、ソケットケーブル２８の両側に張り出し部３４が設けられている実施例である。これは、単芯ケーブル４５をプラス側の高電圧電源に接続した時に、絶縁のための縁面距離を大きくするためのものである。
【００８０】
図１６（ｅ）は第１０の実施形態の導電ケーブルの第５の変形実施例の単芯ケーブル４７を使用した、電撃装置の別の実施例を示すものである。この実施例のソケットケーブル２８も、１つの単芯ケーブル４７を収容できるタイプであり、ソケットケーブル２８の両側に張り出し部３４が設けられている。これは、単芯ケーブル４７をプラス側の高電圧電源に接続した時に、絶縁のための縁面距離を大きくするためのものである。また、第５の変形実施例の単芯ケーブル４７は、第３の変形実施例の単芯ケーブル４５の、導電線４２に接続する導電体４が接続する１つの頂点の両側に、張り出し部を設けたものである。張り出し部の上面側は滑らかに湾曲させてある。従って、張り出し部が無い側の単芯ケーブル４７を溝３１に嵌め込めば、導電体４が真上を向いてフラットケーブル２７から突出する。
【００８１】
図１６（ｆ）は第１０の実施形態の導電ケーブル４１、４４〜４７の何れかを使用した別の実施例の電撃装置を示すものである。この実施例は、外気に晒される場所に設けられているが、鳥が止まっては困る部材に設けられた電撃装置である。例えば、上方に開口部を有する排気口或いは吸気口３５では、開口部に鳥が止まっては困る場合がある。このような場合、排気口或いは吸気口３５の端部の実線で示す位置に、第１０の実施形態の導電ケーブル４１、４４〜４７の何れかを２本配置し、一方に高圧電圧を印加し、他方をグランドに落としておけば、排気口或いは吸気口３５に鳥が止まろうとした場合、足が２本の導電ケーブル４１〜４７に同時に触れるので電気ショックを受けることになり、鳥が二度と近づかないようにすることができる。
【００８２】
図１７（ａ）は第１０の実施形態の導電ケーブル４１を取り付けることができる幅木３６を示すものである。この幅木３６は、図１７（ｂ）に示すように、部屋の壁３７の最下部の、床３８に接する部分に取り付けられる化粧用の横板である。導電ケーブル４１は、幅木３６の溝３１に嵌め込んだ後、一方に高圧電圧を印加し、他方をグランドに落としておけば、小動物を壁に近づけないようにすることができる。また、前述のフラットケーブル２７等を使用した電撃装置は、図１７（ｂ）に二点差線で示す床３８の位置に容易に敷設することができる。
【００８３】
第１０の実施形態の導電ケーブルは、この他にも、絶縁体でできた棒に設けた螺旋状の２条の溝に嵌め込み、一方に高圧電圧を印加し、他方をグランドに落としておけば、この棒に触ったり、この棒を握ったりする動物に対して電気ショックを与えることができる電撃装置を構成することができる。また、棒の代わりに、絶縁体でできたフレキシブルなケーブルに２条の溝を設けて同様の電撃装置を構成することもできる。
【００８４】
更に、第１０の実施形態の導電ケーブルは、屋根に鳥が止まらないようにするために、屋根の最も高い部分である大棟部や、隅棟部、或いは袖部等に２本の導電ケーブルを張設したり、瓦に埋め込んだりして電撃装置を構成する等の用途がある。なお、屋根に電撃装置を設置する場合、電源に商用電源の代わりに太陽電池を使用し、得られた電力をコンデンサ（蓄電器）に蓄え、変圧して使用することもできる。
【符号の説明】
【００８５】
１    プラス側導電線
２    マイナス側導電線
３    絶縁部材
４    導電体
５    フィン
６    リブ
８    撚り線
１０    網
１１〜１９、２２、４０    ケーブル
２０    電気柵
２３    塀またはフェンス
２４    取付リング
２５    ステー
２６    金属パイプ
２７    フラットケーブル
２８    ソケットケーブル
３０、３１    溝
３６    幅木
４１、４４〜４７    単芯ケーブル
４２    導電線
４３    連結突起
【図１】
0005693525.tif 000002
【図２】
0005693525.tif 000003
【図３】
0005693525.tif 000004
【図４】
0005693525.tif 000005
【図５】
0005693525.tif 000006
【図６】
0005693525.tif 000007
【図７】
0005693525.tif 000008
【図８】
0005693525.tif 000009
【図９】
0005693525.tif 000010
【図１０】
0005693525.tif 000011
【図１１】
0005693525.tif 000012
【図１２】
0005693525.tif 000013
【図１３】
0005693525.tif 000014
【図１４】
0005693525.tif 000015
【図１５】
0005693525.tif 000016
【図１６】
0005693525.tif 000017
【図１７】
0005693525.tif 000018